【事件の表示】
　平成　９年特許願第３６２３７６号「プリンタ装置」拒絶査定不服審判事件〔平成１１年　７月　２日出願公開、特開平１１−１７５２９０〕について、次のとおり審決する。
【結　論】
　本件審判の請求は、成り立たない。
【理　由】
Ｉ．手続きの経緯
　本願は、平成９年１２月１２日の出願であって、平成１７年６月３日付けの拒絶の理由の通知に対して、同年８月３日付けで意見書及び手続補正書が提出されたが、同年９月１３日付けで拒絶の査定を受けたものであり、この査定を不服として、同年１０月２０日付けで拒絶査定不服審判の請求がなされるとともに、同年１１月１５日付けで手続補正がなされたものである。
　
ＩＩ．平成１７年１１月１５日付けの手続補正について
［結論］平成１７年１１月１５日付けの手続補正（以下、「本件補正」という。）を却下する。
　その理由は以下のとおり。
　
［理由］
（１）補正後の本願発明
　
　本件補正により、特許請求の範囲の請求項１は、
「【請求項１】　Ｗｅｂブラウザを有するＷｅｂクライアント装置とＨＴＴＰで通信可能なＷｅｂサーバ機能を有するプリンタ装置であって、
　前記Ｗｅｂクライアント装置からＨＴＴＰで印刷データを受信する受信部と、
　該受信部で受信した印刷データから得られた画像データを蓄積する画像データ蓄積部と、
　前記Ｗｅｂブラウザからの前記画像データの
ジョブ単位の
　該Ｗｅｂサーバ処理部で生成された前記リストをＨＴＴＰで前記Ｗｅｂクライアント装置に送信する送信部と
　を有することを特徴とするプリンタ装置。」と補正された。
　
（なお、アンダーラインは、補正箇所を示すために付したものである。）　
　
　上記補正は、請求項１に係る発明を特定するために必要な事項である「Ｗｅｂブラウザからの画像データの指定」について、「ジョブ単位の」との限定を付加するものであって、特許法第１７条の２第４項の特許請求の範囲の減縮を目的とするものに該当する。
　
　そこで、本件補正後の前記請求項１に係る発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物の記載
　
　原査定の拒絶の理由に引用された国際公開第９７／４３７２０号（平成９年１１月２０日出願公開。以下、「刊行物１」という。）には、図面と共に以下の事項が記載されている。（なお、英文の記載については括弧内に日本語訳を付した。）
　
「
DETAILED DESCRIPTION OF THE PREFERRED EMBODIMENTS
　　Referring now to the drawings, wherein like reference numerals designate identical or corresponding parts throughout the several views,  Figure 1 is a view showing a layout of the Java printer system of the present invention.  A　conventional laser printer 100-is connected to a print　server 102 via a high speed communication link 106　（i.e. SCSI bus ) ，and print server 102 receives jobs via an external communication link 104 which can be a network link (Ethernet, token ring, ATM), an ISDN connection, or a modem connection.   The print server 102 can be any general purpose computer system capable of running a Java interpreter, and specifically includes at least a central processing unit (CPU), random access memory (RAM), a mass storage device (i.e.,  a hard disk, a magneto-optical disk), an input device (i.e., mouse, keyboard, touch screen) and an output device (i.e., monitor, heads-up display, virtual reality headset) .  Further, the print server 102 includes any of the available commercial operating systems (i.e., UNIX, Windows 95, Windows NT, OS/2，Linux) and any other software required to implement network or Internet communications.
　　 In the first embodiment, Java print requests are received by the print server 102 via the external communication link 104 through a socket listening on a designated port (i.e., port 80 for hypertext transfer protocol), and the print server 102 converts the received print request from a Java request to a printer request for the attached laser printer 100 in the printer language of the attached laser printer 100.  The print server 102 also can receive standard hypertext transfer protocol (HTTP) requests and produce World Wide Web (WWW) pages as a result or update the configuration of the laser printer 100 if the HTTP request has been sent by a system administrator or an authorized user.
　　 As shown in Figure 2, the laser printer 100, print server 102 and communication link 106 can be combined into a single network printer which is a Java　printer 110 connected to the external communication link 104.   In the second embodiment, the Java printer 110 receives print requests or WWW/HTTP requests directly by listening on the appropriate port.  」（第５頁第２９行ないし第７頁第４行の記載。
（                  好ましい実施例の詳細な説明
　以下、添付図面を参照する。図面中、同じ参照番号は同一若しくは対応した部品を示す。図１は本発明のJavaプリンタシステムのレイアウト図である。
従来のレーザプリンタ１００は、高速通信リンク１０６（例えば、ＳＣＳＩバス）を介してプリントサーバ１０２に接続され、プリントサーバ１０２は、ネットワークリンク（イーサネット、トークンリング、ＡＴＭ）、ＩＳＤＮコネクション、或いは、モデムコネクションでもよい外部通信リンク１０４を介してジョブを受信する。プリントサーバ１０２は、Javaインタープリタを実行することが可能であり、特に、少なくとも中央処理ユニット（ＣＰＵ）と、ランダムアクセスメモリ（ＲＡＭ）と、大容量記憶装置（例えば、ハードディスク、磁気光学式ディスク）と、入力装置（例えば、マウス、キーボード、ヘッドアップディスプレイ、仮想現実用ヘッドセット）とを含むいかなる汎用コンピュータシステムでも構わない。また、プリントサーバ１０２は、入手可能な商業的オペレーティングシステム（例えば、UNIX，Windows 95，Windows NT，OS/2，Linux）と、ネットワーク又はインターネット通信を実現するため必要とされる他のソフトウェアとを含む。
　第１の実施例において、Java印刷要求は、指定されたポート（たとえば、ハイパーテキスト転送プロトコル用のポート８０）上のソケットリスニングを通じて外部通信リンク１０４を経由してプリントサーバ１０２によって受信され、プリントサーバ１０２は、Java要求から受信された印刷要求を付属したレーザプリンタ１００のプリンタ言語で、付属したレーザプリンタ１００用の印刷要求に変換する。また、プリントサーバ１０２は、標準ハイパーテキスト転送プロトコル（ＨＴＴＰ）要求を受信し、その結果としてワールド・ワイド・ウェブ（ＷＷＷ）ページを生成し、或いは、ＨＴＴＰ要求がシステム管理者又は権限のあるユーザから送信された場合にはレーザプリンタ１００のコンフィギュレーションを更新し得る。
　図２に示される如く、レーザプリンタ１００、プリントサーバ１０２及び通信リンク１０６は、外部通信リンク１０４に接続されたJavaプリンタ１１０である一台のネットワークプリンタ内に組み合わせることが可能である。第２の実施例において、Javaプリンタ１１０は、適当なポートを傾聴することにより印刷要求又はＷＷＷ／ＨＴＴＰ要求を直接受信する。））
　
「　　 As shown in Figure 3, a system administrator who　wishes to configure a Java printer 110 can use a standard WWW browser (i.e., Netscape Navigator, Mosaic, Microsoft Navigator,  IBM Web Explorer) to remotely configure the Java printer 110.  The Web browser screen 120 includes a title bar 122, a menu bar 124, button icons 126, a document identifier text entry box 128 and plural additional controls such as drop box 130 which includes a list of Internet connections for which a configuration can be established.  A system administrator would authenticate himself/herself to the Java printer 110 using any available security technique (i.e., Secure Socket Layer, Public Key Encryption, Symmetric Key Encryption, or a User ID and Password Hash), wherein the public key, private key or valid user ID and password hashes are stored in the non-volatile memory of the Java printer 110 or in remote  local with which the Java printer 110 can communicate securely.  Having authenticated himself/herself, the system administrator would choose the configure document of printerl as the document to be opened by specifying the appropriate URL in the text entry box 128, such as specifying:
　　　http://printerl.companyname.com/configure.
　　 When the Java printer 110 which was listening on the appropriate port receives the request for this document, the Java printer 110 would parse the name of the document requested from the rest of the request and determine that the system administrator wished to configure the printer for a particular user.   (The complete specification for the format of an HTTP request or response can be found in the HTTP standard (versions 1.l or 1.0).   Information on HTML can be found in 
Using HTML :The Definitive Guide
Managing Internet Information Services
（図３に示される如く、Javaプリンタ１１０のコンフィギュレーション設定を行おうとするシステム管理者は、Javaプリンタ１１０のコンフィギュレーションを遠隔的に設定するため、標準ＷＷＷブラウザ（例えば、Netscape Navigator，Mosaic，Microsoft Navigator，IBM Web Explorer）を使用可能である。ウェブブラウザ画面１２０は、タイトルバー１２２と、メニューバー１２４と、ボタンアイコン１２６と、文書識別テキスト入力ボックス１２８と、コンフィギュレーションが設定され得るインターネットコネクションのリストを収容するドロップボックス１３０のような複数の付加的コントロールとを含む。システム管理者は、利用可能なセキュリティ技術（例えば、機密ソケットレイヤ、公開鍵暗号化、対称鍵暗号化、又は、ユーザＩＤ及びパスワードハッシュ）を用いてJava対応型プリンタ１１０に対し本人であることを証明する。ここで、公開鍵、秘密鍵、又は、有効ユーザＩＤ及びパスワードハッシュはJavaプリンタ１１０の不揮発性メモリ若しくはJavaプリンタ１１０が安全に通信することができる遠隔ローカルに格納される。本人認証した後、システム管理者は、テキスト入力ボックス１２８の適当なＵＲＬ、例えば、
　http://printerl.companyname.com/configure
を指定することによってプリンタ１のコンフィギュア文書を、オープンすべき文書として選択する。
　適切なポートを監視しているJavaプリンタ１１０がこの文書に対する要求を受信したとき、Javaプリンタ１１０は要求の残りの部分から要求された文書の名前を解析し、システム管理者が特定のユーザのためプリンタのコンフィギュレーションを設定しようとしていることを判定する。（ＨＴＴＰ要求又は応答の完全なフォーマットの仕様は、ＨＴＴＰ標準（バージョン１．１又は１．０）に記載されている。ＨＴＭＬに関する情報は、Musciano及びKennedyによる“Using HTML:The Definitive Guide”に記載され、インターネット情報サービスに関する情報は、Liu他による“Managing Internet Information Services”に記載されている。これらの文献の内容は参考のため引用される。）文書に対する要求に応答して、Javaプリンタ１１０は、要求を送信するため使用されるソケットを介してブラウザに、図３に参照番号１３１を付して示されたページのような応答を返送する。））
　
「　　 As shown in Figure 4, the Java printer 110 can additionally be configured with a queue manager which can further control the Java printer 110 using a standard WWW interface 120.  Figure 4 shows that a system administrator has requested queue information from Java printer 110 and received back an applet which provides configuration information to the system administrator. When the system administrator uses URL:
　　　　http : //printerl. companyname .com/queue,
the web browser 120 changes the title bar 122 to reflect that the requested page represents the queue　manager.   The returned page 136 includes a series of graphics 160 which represent documents, their titles ,their print times and the Internet addresses from which the jobs were submitted.  These graphics 160 are displayed in a scrollable window 144 controlled by a scroll bar 138.  Further, the applet  includes a filter with an associated combination box 140 for filtering the graphics 160 which are displayed in the scrollable window 144.  As shown in Figure 5, when an Internet address is used as a filter, all documents not submitted by a specified Internet address ( i. e ., 123.45.67.89) are removed from the scrollable window 144.  Referring back to Figure 4, the applet also provides buttons 146, 148, 150, 152, and 156 which control how the Java printer 110 processes the documents.  To control a print job, any of the graphics 160 can be highlighted and then one of the buttons 146, 148, 150, 152  and 156 depressed.  The queue manager then will modify the queue characteristics for the highlighted job (s) according to the button which was depressed.
　　 Since Java is multi-threaded, the Java printer 110 can multi-task between any of its functions (i.e., printing the current job, receiving a new job, pausing a job, killing a job, reordering the job such that a job is made the next job to be printed or the last job to be printed, displaying characteristics of a job, resuming a paused Job, setting default configuration information or determining the status of the printer).」（第１１頁第１行ないし第１２頁第２７行の記載。
（ 図４に示される如く、Javaプリンタ１１０は、標準ＷＷＷインタフェース１２０を使用してJavaプリンタ１１０を制御し得るキューマネージャを用いて付加的にコンフィギュレーション設定を行ってもよい。図４には、システム管理者がJavaプリンタ１１０からのキュー情報を要求し、そして、システム管理者にコンフィギュレーション情報を与えるアプレットを受信した場合が示されている。システム管理者が次のURL、即ち、
　http://printerl.companyname,com/queue
を使用するとき、ウェブブラウザ１２０は要求されたページがキューマネージャを表現することを反映させるためタイトルバーを変更する。返送されたページ１３６は、文書、文書のタイトル、文書の印刷時間、及び、ジョブが発行されたインターネットアドレスを表現する一連のグラフィックス１６０を含む。これらのグラフィックス１６０は、スクロールバー１３８によって制御されるスクロールウィンドウ１４４に表示される。また、アプレットは、スクロールバーウィンドウ１４４に表示されたグラフィックス１６０をフィルタリングするため、関連した複合ボックス１４０を備えたフィルタを含む。図５に示される如く、インターネットアドレスがフィルタとして使用されるとき、指定されたインターネットアドレス（例えば、123.45.67.89）によって発せられていない全ての文書はスクロールウィンドウ１４４から削除される。再度図４を参照するに、アプレットには、Javaプリンタ１１０が文書を処理する方法を制御するボタン１４６、１４８、１５０、１５２及び１５６が置かれている。印刷ジョブを制御するため、何れかのグラフィックス１６０が強調され、ボタン１４６、１４８、１５０、１５２及び１５６の中の１個のボタンが押下される。キューマネージャは、次に、押下されたボタンに応じて、強調されたジョブに対するキュー特性を変更する。
　Ｊａｖａプリンタはマルチスレッド式であるため、Ｊａｖａプリンタ１１０は、その機能（例えば、現在のジョブの印刷、ジョブの中断、ジョブの削除、ジョブの停止、ジョブの順番の入れ換え、ジョブの特性表示、中断されたジョブの再開、デフォルトコンフィギュレーション情報の設定、又は、プリンタの状態を判定）の間でマルチタスクを行うことが可能である。））
　
　以上の記載によれば、刊行物１には、次の発明（以下、「刊行物１記載発明」という。）が記載されている。
　
「外部通信リンク１０４に接続されたＪａｖａプリンタ１１０において、
　レーザプリンタ１００とプリントサーバ１０２は高速通信リンク１０６を介して接続されると共に、Ｊａｖａプリンタ内に組み合わされ、
　プリントサーバは、ネットワークリンクである外部通信リンク１０４を経由してハイパーテキスト転送プロトコル用のポート８０で受信したＪａｖａ印刷要求を、プリントサーバに付属するレーザプリンタ用の印刷要求に変換し、ＨＴＴＰ要求を受信し、その結果としてＷＷＷページを生成し、ＨＴＴＰ要求がシステム管理者又は権限のあるユーザから送信された場合にはレーザプリンタのコンフィギュレーションを更新し得るものであり、
　システム管理者がウェブブラウザでキュー情報を要求するためにhttp://printerl.companyname,com/queueのＵＲＬを使用したときに、Ｊａｖａプリンタから返送されるページは、文書、文書のタイトル、文書の印刷時間及びジョブが発行されたインターネットアドレスを表現するグラフィックスを含んでおり、これらのグラフィックスはページのスクロールウィンドウに表示され、
　印刷ジョブを制御するため、何れかのグラフィックスが強調され、文書を処理する方法を制御するボタンのうちのいずれかのボタンの押下に応じて、強調されたジョブに対するキュー特性を変更するＪａｖａプリンタ。」
　
　同じく、原査定の拒絶の理由に引用された特開平９−１７９７０４号公報（平成９年７月１１日出願公開。以下、「刊行物２」という。）には、図面と共に以下の事項が記載されている。
　
【００１１】・・・印刷制御装置１０は、ワークステーションやパーソナルコンピュータなどの外部装置から直接またはネットワークを通じて送信されてくる印刷情報を印刷ジョブとして受ける印刷要求受付部１１と、印刷情報から印刷可能な印刷ビットマップデータに展開する印刷データ作成部１２と、展開された印刷データを格納する内部記憶装置１３と、印刷データを印刷に必要な印刷属性とともに保存する二次記憶装置１４と、展開された印刷データを１ページ分取り込むページバッファ１５と、このページバッファ１５の印刷データを印刷装置２３に送信するデータ送信部１６と、印刷要求の種別を判別したり印刷データの作成を指示したりするジョブ制御部１７と、印刷属性を変更する属性変更部１８と、印刷要求されたジョブが印刷可能かどうかを判定する印刷可否判定部１９と、印刷装置２３の構成情報を管理する印刷装置管理部２０とによって構成されている。
　
【００２２】一方、二次記憶装置１４に保存されている印刷データを利用して再印刷を行う場合について説明する。再印刷を行う場合には、まず、指示装置２２からジョブ制御部１７を介して保存ジョブの一覧表示を要求し、その結果は表示装置２１に表示される。
【００２３】図６は保存ジョブの一覧表示の例を示す図である。表示装置２１の画面に表示された図示の保存ジョブ一覧のウィンドウ５０によれば、例えばジョブ名と、ページ数と、作成日との一覧を表示するようにしてあり、これに、再印刷および取消しコマンドを与えるボタンが設けられている。
【００２４】オペレータは表示された保存ジョブ一覧の中からマウスなどのポインティングデバイスを使用して再印刷したいジョブを選択し、ウィンドウ５０上部の「再印刷」コマンドをクリックする。
  
　図６には、保存ジョブの一覧表示の例としてジョブがリストで表示されることが示されている。
　
　以上の刊行物２の記載を本願補正発明の技術用語で表すと、以下の技術が公知（以下、「公知技術１」という。）である。
　「再印刷用に、受信部で受信した印刷データから得られた画像データ（ビットマップデータ）を蓄積する画像データ蓄積部と、前記画像データのジョブ単位の指定が可能な形式のリストを用いる技術。」
　
（３）対比
　本願補正発明と刊行物１記載発明とを対比すると、刊行物１記載発明の「Ｊａｖａプリンタ」は、本願補正発明の「プリンタ装置」に相当し、刊行物１記載発明の「Ｊａｖａ印刷要求」及び「印刷要求」は、本願補正発明の「印刷データ」に相当する。
　
　また、刊行物１記載発明の「ポート」は、ハイパーテキスト転送用プロトコル用であってＪａｖａ印刷要求を受信するから、本願補正発明の「ＨＴＴＰで印刷データを受信する受信部」に相当する。
　
　ここで、刊行物１記載発明の、Ｊａｖａプリンタ内に組み合わされた「プリントサーバ」は、ＨＴＴＰ要求を受信し、ＷＷＷページを生成する機能を有しているから、刊行物１記載発明の「プリントサーバ」は、ＨＴＴＰで通信可能なＷｅｂサーバ機能を有し、ＷＷＷページを生成するＷｅｂサーバ処理部である。
　
　そして、システム管理者がＷｅｂブラウザで所定のＵＲＬを使用したときにＪａｖａプリンタから返送された「ページ」は、Ｗｅｂブラウザで表示され、印刷ジョブを制御するため、何れかのグラフィックスが強調され、文書を処理する方法を制御するボタンのうちのいずれかのボタン押下に応じて、強調されたジョブに対するキュー特性の変更が可能であるから、刊行物１記載発明の「ページ」と本願補正発明の「リスト」とは、いずれも「Ｗｅｂブラウザからのジョブ単位の指定が可能な形式のデータ」である点で一致する。
　
　また、Ｊａｖａプリンタから返送された「ページ」は、ＷＷＷページであってプリントサーバで生成され、Ｗｅｂブラウザで表示されることは明らかであるから、ＨＴＴＰで送信され、刊行物１記載発明の「Ｊａｖａプリンタ」は、Ｗｅｂサーバ処理部で生成された前記データをＨＴＴＰで送信する送信部を有する。
　
　したがって、両者の一致点及び相違点は次のとおりである。
　
［一致点］
「ＨＴＴＰで通信可能なＷｅｂサーバ機能を有するプリンタ装置であって、
　ＨＴＴＰで印刷データを受信する受信部と、
　Ｗｅｂブラウザからのジョブ単位の指定が可能な形式のデータを生成するＷｅｂサーバ処理部と、
　該Ｗｅｂサーバ処理部で生成された前記データをＨＴＴＰで送信する送信部とを有するプリンタ装置。」
　
［相違点について］
［相違点１］
　本願補正発明では、
　「Ｗｅｂサーバ機能」が「Ｗｅｂブラウザを有するＷｅｂクライアント装置と通信可能」とされ、「受信部」が「前記Ｗｅｂクライアント装置」から印刷データを受信し、「送信部」が「前記Ｗｅｂクライアント装置」に前記データを送信するのに対して、
　刊行物１記載発明では、
　「Ｗｅｂサーバ機能」が、「Ｗｅｂブラウザを有するＷｅｂクライアント装置と通信可能」なことや、「受信部」が「前記Ｗｅｂクライアント装置」から印刷データを受信すること、「送信部」が「前記Ｗｅｂクライアント装置」に前記データを送信することが明らかでない点。
　
［相違点２］
　本願補正発明では、
「受信部で受信した印刷データから得られた画像データを蓄積する画像データ蓄積部」を有しているのに対して、
　刊行物１記載発明では、前記画像データ蓄積部を有していない点。
　
［相違点３］
　「Ｗｅｂブラウザからのジョブ単位の指定が可能な形式のデータ」が、本願補正発明では「Ｗｅｂブラウザからの前記画像データのジョブ単位の指定が可能な形式のリスト」であるのに対して、
　刊行物１記載発明では、そうでない点。
　
（４）判断
　上記相違点１〜３について検討する。
　
［相違点１について］
　一般に、Ｗｅｂサーバ機能は、Ｗｅｂブラウザを有するＷｅｂクライアント装置とＨＴＴＰで通信可能である。
　そして、刊行物１記載発明において、システム管理者がＷｅｂブラウザでhttp://printerl.companyname,com/queueというＵＲＬを使用した際に、ページをＷｅｂブラウザに返送しているから、システム管理者が前記Ｗｅｂクライアント装置を使用していることは明らかであり、送信部は前記Ｗｅｂクライアント装置に、前記データを送信している。
　また、刊行物１記載発明において、システム管理者自らが印刷を行うというシステム上の一般的な要請に応じて、受信部が、システム管理者の使用する前記Ｗｅｂクライアント装置から印刷データを受信することは、当業者であれば適宜なし得た設計事項である。
　
［相違点２、３について］
　「再印刷用に、受信部で受信した印刷データから得られた画像データ（ビットマップデータ）を蓄積する画像データ蓄積部と、前記画像データのジョブ単位の指定が可能な形式のリストを用いる技術。」は公知であるから、刊行物１記載発明のプリンタ装置に公知技術１を適用し、再印刷用に「受信部で受信した印刷データから得られた画像データを蓄積する画像蓄積部」を設け、Ｗｅｂブラウザからのジョブ単位の指定が可能な形式のデータを「Ｗｅｂブラウザからの前記画像データのジョブ単位の指定が可能な形式のリスト」とすることは、当業者が容易に想到し得た事項である。
　
　なお、出願人は審判請求書の平成１７年１１月１５日付け手続補正書第２頁「（４）本願発明と引用発明との対比」において、本願補正発明の作用効果として次の点を主張している。
（ｉ）「本願発明は、「画像データのジョブ単位の指定が可能な形式のリスト」を生成しております。そして、・・・「Ｗｅｂクライアント装置のユーザがＷｅｂブラウザ上からビットマップデータを指定して再印刷指示」することが可能となります。」
（ｉｉ）「すなわち、本願発明のＷｅｂサーバ処理部で生成されますリストでは、「画像データ」がＷｅｂブラウザで指定可能になっており、この画像データの「ジョブ単位の指定」がＷｅｂブラウザで可能な形式のリストとしてＷｅｂブラウザに表示されているものです。このように、本願発明では、Ｗｅｂサーバ処理部で生成されますリストにおいて、画像データがジョブ単位に指定可能にＷｅｂブラウザに表示されていることは明らかであります。」
　
　上記の点について検討する。
（ｉ）について
　「再印刷のために、印刷データから得られた画像データ（ビットマップデータ）のジョブ単位の指定が可能な形式のリストを用いる技術」は先に述べたように公知であり、この公知技術１も「ビットマップデータを指定して再印刷指示すること」が可能なことは明らかである。
　そして、刊行物１記載発明に公知技術１を適用したプリンタ装置は上記「Ｗｅｂクライアント装置のユーザがＷｅｂブラウザ上からビットマップデータを指定して再印刷指示」することが可能なものである。
（ｉｉ）について
　「画像データがジョブ単位に指定可能にＷｅｂブラウザに表示」されるという作用効果については、刊行物１記載発明に公知技術１を適用して得られる「Ｗｅｂブラウザからの前記画像データのジョブ単位の指定が可能な形式のリスト」を、Ｗｅｂブラウザを有するＷｅｂクライアント装置で表示するに際し、当然得られる程度のものにすぎない。
　
　そして、本願補正発明の構成を採用することによる作用効果も、刊行物１記載発明および公知技術１からみて格別のものでもない。
　
　したがって、本願補正発明は、刊行物１記載発明及び公知技術１に基づいて、当業者が容易に発明をすることができたものであるから、特許法第２９条第２項の規定により、特許出願の際独立して特許を受けることができない。
　
（５）むすび
　以上のとおり、本件補正は、特許法第１７条の２第５項において準用する同法第１２６条第５項の規定に違反するので、特許法第１５９条第１項の規定において読み替えて準用する同法第５３条第１項の規定により却下すべきものである。
　
ＩＩＩ．本願発明について
　
（１）本願発明
　平成１７年１１月１５日付けの手続補正は上記のとおり却下されたので、本件出願の請求項１に係る発明は、平成１７年８月３日付けの手続補正書の特許請求の範囲の請求項１に記載された事項により特定される、以下のとおりのものである。（以下、「本願発明」という。）
　
「【請求項１】　Ｗｅｂブラウザを有するＷｅｂクライアント装置とＨＴＴＰで通信可能なＷｅｂサーバ機能を有するプリンタ装置であって、
　前記Ｗｅｂクライアント装置からＨＴＴＰで印刷データを受信する受信部と、
　該受信部で受信した印刷データから得られた画像データを蓄積する画像データ蓄積部と、
　前記Ｗｅｂブラウザからの前記画像データの指定が可能な形式のリストを生成するＷｅｂサーバ処理部と、
　該Ｗｅｂサーバ処理部で生成されたリストをＨＴＴＰで前記Ｗｅｂクライアント装置に送信する送信部と
　を有することを特徴とするプリンタ装置。」
　
（２）刊行物の記載
   刊行物１記載発明、刊行物２の記載については、前記「ＩＩ．（２）」で述べたとおりである。
　
（３）対比
　本願発明は、前記「ＩＩ．」で検討した本願補正発明から「Ｗｅｂブラウザからの前記画像データのジョブ単位の指定」の限定事項である「ジョブ単位の」との構成を省いたものである。
　
　そうすると、本願発明の構成要件をすべて含み、さらに他の構成要件を付加したものに相当する本願補正発明が、前記「ＩＩ．（４）」に記載したとおり、刊行物１記載発明及び公知技術１に基づいて、当業者が容易に発明をすることができたものであるから、本願発明も、同様の理由により、刊行物１記載発明及び公知技術１に基づいて、当業者が容易に発明をすることができたものである。
　
ＩＶ．むすび
　以上のとおり、本願発明は、刊行物１記載発明及び公知技術１に基づいて、当業者が容易に発明をすることができたものであるから、特許法第２９条第２項の規定により特許を受けることができない。
　
　よって、結論のとおり審決する。